(57)【要約】【課題】カード挿入ミスを無くし、異なる電気回路特性の設計を可能にするメモリカード逆挿入防止装置の提供。【解決手段】メモリカードの先端部の挿入端を非対称のアーチ形１１に形成し、メモリカードの底部の先端部には少なくとも一つ以上の電気回路接点１２を設け、該電気回路接点１２はメモリカードの外形に従って非対称アーチ形に配列されている。メモリカードは挿入端が非対称である形状により前後の距離差を形成し、逆挿入防止の機能を果たす。こうして、電気回路接点と接触端子間の接触に時間差が生じ、該接触時間差は異なる電気回路における特性の需要に活用することができる。【選択図】図１
0003099213.tif 000002
【実用新案登録請求の範囲】
【請求項１】
メモリカードの先端部の挿入端を非対称のアーチ形に形成し、挿入端には前後の距離差を形成させ、メモリカードの裏面の先端部には少なくとも一つ以上の電気回路接点を設け、各電気回路接点はメモリカード挿入端の外形に従って非対称のアーチ形配列を呈し、電気回路接点には前後位置差を形成することを特徴とするメモリカードの逆挿入防止構造。
【請求項２】
前記挿入端の形状は非対称曲線状とすることを特徴とする請求項１に記載のメモリカードの逆挿入防止構造。
【請求項３】
前記挿入端の外形は、一辺が比較的に高く、もう一辺に向かって徐々に引っ込んだ緩やかなアーチ形とすることを特徴とする請求項１又は請求項２に記載のメモリカードの逆挿入防止構造。
【考案の詳細な説明】
【０００１】
【考案の属する分野】本考案はメモリカードの逆挿入防止構造に関するものであり、その主たるものはメモリカードに逆挿入防止機能を提供することである。また、本考案は、電気回路接点が非対称のアーチ形に配列されることにより形成される電気回路接点の前後位置差によって、電気回路接点と接触端子間の接触に時間差を生じ、この接触時間差は異なる電気回路において求められる特性に活用することができる。
【０００２】
【従来の技術】現在、データ保存用メモリカード（Ｍｅｍｏｒｙ　Ｃａｒｄ）、例えばマルチメディアカード（Ｍｕｌｔｉ　Ｍｅｄｉａ　Ｃａｒｄ）、メモリースチックカード（Ｍｅｍｏｒｙ　Ｓｔｉｃｋ　Ｃａｒｄ）等の各種のメモリカードは、使用時、データを読み取ったり、編集処理したりするために、ある特定な読み取り装置を通さなければならない。しかし、メモリカードを読み取り装置に挿入するとき、メモリカードの逆挿入による読取装置の故障がしばしば発生する。このため、市販されているメモリカードの多くは、逆挿入防止機能が付いている。これらの設計の多くは、メモリカードの挿入部分の片端部を斜角又はアーチ形に設計し、さらに読取装置の挿入槽内部にもメモリカードに対応する斜角又はアーチ形を形成させ、双方が合わさることにより挿入ルートを制限する逆挿入防止設計を作り出すものである。しかし、このように作られたメモリカードは外観上好ましくなく、カード片端部に設けられた欠け口は、挿入時にぴったりと合わせることが難しく、しかもこの設計では一列に配列された電気回路接点が接触端子と接触する時、接触時間差を発生させることは不可能である（接触時間差の形成は電気回路の設計に必要な機能を提供し、異なる接触時間により異なる特性を持つ電気回路を設計することができるようにする）。従って、長年にわたって使われてきたメモリカードの逆挿入防止設計は既に時代の需要に応えられなくなり、更なる改良及び機能アップが待たれるところである。
【０００３】
【考案が解決しようとする課題】本考案のメモリカードは、逆挿入防止の効果があるほか、特に電気回路接点と接触端子間に形成される時間差によって、各電気回路接点の接触時間が異なるといった特性を持つ電気回路の設計を達成するものである。また、本考案における非対称のアーチ形挿入端及び非対称のアーチ形排列の電気回路接点の設計は、各規格のメモリカードに適用する（例えば、Ｍｕｌｔｉ　Ｍｅｄｉａ　Ｃａｒｄ、Ｍｅｍｏｒｙ　Ｓｔｉｃｋ　Ｃａｒｄ等）。
【０００４】
本考案が解決しようとする課題は、全体の外観が良く、現在使用されている読取装置にも使える逆挿入防止メモリカードを提供し、またメモリカードを読取装置の挿入槽にスムーズに挿入することができ、挿入時読取装置とメモリカードが一致しにくい問題を解決したメモリカードの逆挿入防止構造を提供することにある。また本考案の別の課題は、電気回路接点の接触時間差を形成し、この時間差を利用することによって異なる電気回路特性の設計ができるメモリカードの逆挿入防止構造を提供することにある。
【０００５】
【課題を解決するための手段】本考案の前記課題は、以下の各考案によってそれぞれ達成されるものである。
【０００６】
（１）メモリカードの先端部の挿入端を非対称のアーチ形に形成し、挿入端には前後の距離差を形成させ、メモリカードの裏面の先端部には少なくとも一つ以上の電気回路接点を設け、各電気回路接点はメモリカード挿入端の外形に従って非対称のアーチ形配列を呈し、電気回路接点には前後位置差を形成することを特徴とするメモリカードの逆挿入防止構造。
（２）前記挿入端の形状は非対称曲線状とすることを特徴とする前記第１項に記載のメモリカードの逆挿入防止構造。
（３）前記挿入端の外形は、一辺が比較的に高く、もう一辺に向かって徐々に引っ込んだ緩やかなアーチ形とすることを特徴とする前記第１項又は第２項に記載のメモリカードの逆挿入防止構造。
【０００７】
【考案の実施の形態】以下、本考案の実施の形態として、一つの実施例を取りあげ、本考案の構成及び効果を詳しく説明するが、以下の記載内容は本考案の比較的よい実施例であり、これにより本考案実施の範囲を限定するものはない。また本考案の実用新案登録請求範囲に基づく変更と修正は、全て本考案の実用新案登録請求の範囲内に属するものとする。図１は、本考案の底面図であり、本考案のメモリカード（１）の逆挿入構造を示している。その主たるものは、メモリカード（１）の挿入端（１１）が非対称のアーチ形又は曲線の形状に設計され、該挿入端（１１）の外形は一辺が比較的に高く、もう一辺に向かって徐々に引っ込んだ緩やかなアーチ形とすることが好ましい形状であり、また、メモリカード（１）の裏面の先端部には少なくとも一つ以上の電気回路接点（１２）を設け（該電気回路接点の数量はメモリカードの規格及び形状より定める）、該電気回路接点（１２）の配列はメモリカード（１）の挿入端（１１）の外形に従ってアーチ形又は非対称の曲線を呈する。このように設けられた挿入端（１１）の非対称形状は、メモリカード（１）に前後距離差を形成させ、逆挿入防止の機能を果たす。また電気回路接点（１２）が呈した非対称のアーチ形配列は電気回路接点（１２）の前後位置差を形成させ、このため、電気回路接点（１２）と接触端子（２２）との接触に時間差が生じ、この接触時間差は、異なる電気回路において求められる特性に活用することができる（図３参照）。
【０００８】
図２、図３、図４は、それぞれ本考案の動作実施例（一）、（二）、（三）であり、各図面に掲示されている本考案のメモリカード（１）の逆挿入防止の設計構想は、メモリカード（１）の先端部のアーチ形又は非対称の曲線形状を、読取装置（２）の挿入槽（２１）底部のアーチ形又は非対称の曲線形状に合わせることであり、メモリカード（１）の挿入方向が正確であれば、カード先端部のアーチ形挿入端（１１）は読取装置（２）の挿入槽（２１）の底部にぴったり一致し、メモリカード（１）は正常にデータを読み取ることができる。逆にメモリカード（１）の挿入方向が不正確であれば、カード先端の挿入端（１１）は挿入槽（２１）の底部にぴったり一致することができず、メモリカード（１）は作動不可能となる。こうして逆挿入防止の効果を果す。また、本考案のメモリカード（１）先端部の挿入端（１１）がアーチ形に設計されているため、使用する読取装置（２）がすでに公知の逆挿入防止に対応した設計のものであっでも、本考案のメモリカード（１）はデータの転換及び読取保存動作を行うことができる。
【０００９】
図５、図６、図７、図８は、それぞれ本考案の動作実施例（四）、及び実施例（一）、（二）を示している。図面に掲示されている本考案のメモリカード（１）の先端にある少なくとも一つ以上の電気回路接点（１２）は、挿入端（１１）の形状によってアーチ形の非対称の配列を形成し、これによって各電気回路接点（１２）間に同時に前後位置差を発生させる。このため、メモリカード（１）が読取装置（２）の挿入槽（２１）内に挿入されると、最先端の電気回路接点（１２）が接触端子（２２）と接触し、開通状態を形成し（この時、その他の電気回路接点はまだその他の各対応する接触端子と接触していない）、続いてメモリカード（１）が挿入されると、その他の電気回路接点（１２）が各接触端子（２２）と順に接触するようになる。こうして電気回路接点（１２）の前後位置差より生じた接触時間差は、異なる電気回路特性のある特殊な機能（例えば、読取装置のスイッチオン或いは配線設定など）の設計に用いられる。また、該時間差はメモリカード（１）を抜き出すときの特殊機能の設計（データ紛失を防ぐ仮保存機能）にも用いられる。さらに、本考案のメモリカード（１）の電気回路接点（１２）の長さは必要に応じて長くすることができ、且つ電気回路接点（１２）は必要又はメモリカード（１）の規格、形式に応じて前後並列方式に並び替えることができる。
【００１０】
【考案の効果】本考案によれば、全体の外観が良く、現在使用されている読取装置にも使える逆挿入防止メモリカードが得られ、またメモリカードを読取装置の挿入槽にスムーズに挿入することができ、挿入時読取装置とメモリカードが一致しにくい問題を解決したメモリカードの逆挿入防止構造が得られる。また本考案によれば、電気回路接点の接触時間差を形成し、この時間差を利用することによって異なる電気回路特性の設計ができるメモリカードの逆挿入防止構造が得られる。
【図面の簡単な説明】
【図１】本考案のメモリカードの逆挿入防止構造を示す底面図である。
【図２】本考案の動作実施例一である。
【図３】本考案の動作実施例二である。
【図４】本考案の動作実施例三である。
【図５】本考案の動作実施例四である。
【図６】図５の実施例四の部分拡大図である。
【図７】本考案の実施例一であるメモリカードを示す平面図である。
【図８】本考案の実施例二であるメモリカードを示す平面図である。
【符号の説明】
１　　　　　メモリカード
１１　　　挿入端
１２　　　電気回路接点
２　　　　　読取装置
２１　　　挿入槽
２２　　　接触端子
【図１】
0003099213.tif 000003
【図２】
0003099213.tif 000004
【図３】
0003099213.tif 000005
【図４】
0003099213.tif 000006
【図５】
0003099213.tif 000007
【図６】
0003099213.tif 000008
【図７】
0003099213.tif 000009
【図８】
0003099213.tif 000010